(57)【要約】【課題】複数の画像を登録し一括して印刷を行う連続印刷において、印刷処理中に画像表示部に表示されている画像を選択することで印刷処理の中断を伴うことなく、印刷が不要な画像の印刷をキャンセルし、ユーザの誤操作による印刷ミス防止及び操作性を向上する。【解決手段】メモリカード内の画像を表示する画像表示手段と、カード内に記憶されている記録画像を複数選択する手段と、前記画像選択手段によって選択された画像を登録しておく手段と、前記登録手段に登録された複数の記録画像を連続印刷する手段と、前記画像表示手段に表示中の画像を選択する手段を有する記録装置。【選択図】        図１
2004193869.tif 000002
【特許請求の範囲】
【請求項１】
画像データを記憶しているメモリカード用スロット有し、メモリカードに記憶されている画像データを直接読み取り、印刷可能な記録装置において、
メモリカード内の画像を表示する画像表示手段と
カード内に記憶されている記録画像を複数選択する手段と
前記画像選択手段によって選択された画像を登録しておく手段と
前記登録手段に登録された複数の記録画像を連続印刷する手段と
前記画像表示手段に表示中の画像を選択する手段と
を有し、連続印刷開始後に前記画像表示手段に表示中の画像を選択することにより、登録されている連続印刷用の画像リストから削除することを特徴とする記録装置。
【請求項２】
連続印字動作開始時に選択されたすべての画像データを前記画像表示装置に順次表示し、すべての画像が表示完了後に印字動作を開始することを特徴とする請求項１に記載の記録装置。
【請求項３】
連続印字動作開始後、各ページの印字動作開始前までに次ページに印刷する画像データを前記画像表示装置に順次表示する手段を持つことを特徴とする請求項１に記載の記録装置。
【発明の詳細な説明】
【０００１】
【発明の属する技術分野】
本発明は、画像データを記憶しているメモリカードから直接画像ファイルを読み込み、記録材に記録することが可能な記録装置に関するものである。
【０００２】
【従来の技術】
簡単な操作で画像を撮影してデジタル画像データに変換できるデジタルカメラ（撮像装置）等が広く使用されるようになってきている。このようなカメラで撮影した画像は、通常デジタルカメラに内蔵しているメモリカードに記憶される。
【０００３】
近年、メモリカードを直接プリンタに装着し、メモリカード内に記憶されている撮影された画像データを印刷できるフォトダイレクトプリンタが開発されている。また、ＵＳＢインタフェースを用いてデジタルカメラと直接接続し、デジタルカメラから受信した画像データ及び制御コマンドによって、直接印字を行うフォトダイレクトプリンタも開発されている。また、ダイレクトプリンタには、画像表示機能があるものもあり、印刷時に選択されている画像を表示することも可能である。
【０００４】
フォトダイレクトプリンタでは、メモリカードスロットに挿入されたメモリカード内の画像データを印刷するために図２に示すような専用の操作部を持っている。通常、メモリカード内の複数の画像を一括して印刷を行うときには、メモリカード内の画像データをインデックス印刷した後、インデックス印刷を見ながら操作部からメモリカード内の画像を選択し、所望の印字モードや用紙を選択して印刷を行っていた。
【０００５】
【発明が解決しようとする課題】
しかしながら、図２に示すように操作部は、限られた入力手段を組み合わせることによって、さまざまな機能を選択可能にしている。そのため、複数の画像を選択し、一度の操作で連続印刷を実行するような場合には、画像選択や各種印字モードや用紙サイズなどの複数の操作を行うため、ユーザが本来印刷したい画像以外を誤って選択してしまう場合があった。その場合には、印刷処理が終了後にユーザが印刷結果を見て確認する以外に方法がなく、結果的にインクや用紙を無駄にしてしまうという問題点があった。また、印刷途中で気づいたとしても、印刷を中止するともう一度設定をやり直さなければならず、操作性が悪いという問題があった。
【０００６】
本発明は、上記問題点に鑑みて、画像を複数選択し連続印刷を行う場合に印字前にこれから印刷を行う画像データを画像表示部に表示し、画像表示中の画像データを選択することで現在実行している連続印刷から削除することによって、誤印刷をなくしユーザが所望の画像データのみの印字が行えることを特徴とする記録装置を提供することにある。
【０００７】
【課題を解決するための手段】
画像データを記憶しているメモリカード用スロット有し、メモリカードに記憶されている画像データを直接読み取り、印刷可能な記録装置において、メモリカード内の画像を表示する画像表示手段と、カード内に記憶されている記録画像を複数選択する手段と、選択した複数の記録画像を連続印刷する手段と、前記画像表示手段に表示中の画像を選択する手段とを有し、連続印刷開始時に前記画像表示手段に表示中の画像を選択することにより、連続印刷開始前に選択された連続印刷用の画像リストから削除することが可能な記録装置。
【０００８】
請求項１に記載の記録装置に関して、連続印字動作開始時に選択されたすべての画像データを前記画像表示装置に順次表示する手段を有し、すべての画像が表示完了後に印字動作を開始することを特徴とする。
【０００９】
請求項１に記載の記録装置において、連続印字動作開始後、各ページの印字動作開始前までに次ページに印刷する画像データを前記画像表示装置に順次表示する手段を持つことを特徴とする。
【００１０】
【発明の実施の形態】
以下、添付図面を参照して本発明の好適な実施の形態を詳細に説明する。
【００１１】
図１は、本発明の実施の形態に係るフォトダイレクトプリンタ装置（以下、ＰＤプリンタ装置）１０００の概観斜視図である。このＰＤプリンタ装置装置１０００は、ホストコンピュータ（ＰＣ）からデータを受信して印刷する通常のＰＣプリンタとしての機能と、メモリカードなどの記憶媒体に記憶されている画像データを直接読取って印刷したり、或いはデジタルカメラからの画像データを受信して印刷する機能を備えている。
【００１２】
図１において、本実施の形態に係るＰＤプリンタ装置１０００の外殻をなす本体は、ケースＭ１００１、上ケース１００２、アクセスカバー１００３及び排出トレイ１００４の外装部材を有している。また、下ケース１００１は、ＰＤプリンタ装置１０００の略下半部を、上ケース１００２は本体の略上半部をそれぞれ形成しており、両ケースの組合せによって内部に後述の各機構を収納する収納空間を有する中空体構造をなし、その上面部及び前面部にはそれぞれ開口部が形成されている。さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００１３】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００１４】
また、上ケース１００２の上面には、電源キー１００５が押下可能に設けられている。また、上ケース１００２の右側には、液晶表示部１００６や各種キースイッチ等を備える操作パネル１０１０が設けられている。この操作パネル１０１０の構造は、図２を参照して詳しく後述する。１００７は自動給送部で、記録シートを装置本体内へと自動的に給送する。１００８は紙間選択レバーで、プリントヘッドと記録シートとの間隔を調整するためのレバーである。１００９はカードスロットで、ここにメモリカードを装着可能なアダプタが挿入され、このアダプタを介してメモリカードに記憶されている画像データを直接取り込んで印刷することができる。このメモリカード（ＰＣ）としては、例えばコンパクトフラッシュ（Ｒ）メモリ、スマートメディア、メモリスティック等がある。１０１１はビューワ（液晶表示部）で、このＰＤプリンタ装置１０００の本体に着脱可能であり、ＰＣカードに記憶されている画像の中からプリントしたい画像を検索する場合などに、１コマ毎の画像やインデックス画像などを表示するのに使用される。１０１２は後述するデジタルカメラを接続するための端子、１０１３は、パーソナルコンピュータ（ＰＣ）を接続するためのＵＳＢバスコネクタを示す。
【００１５】
図２は、本実施の形態に係るＰＤプリンタ装置１０００の操作パネル１０１０の概観図である。
【００１６】
図２において、液晶表示部１００６には、その左右に印刷されている項目に関するデータを各種設定するためのメニュー項目が表示される。ここでに表示される項目としては、印刷したい範囲の先頭写真番号、指定コマ番号（開始／−指定）、印刷を終了した範囲の最後の写真番号（終了）、印刷部数（部数）、印刷に使用する用紙（記録シート）の種類（用紙種類）、１枚の用紙に印刷する写真の枚数設定（レイアウト）、印刷の品位の指定（品位）、撮影した日付を印刷するかどうかの指定（日付印刷）、写真を補正して印刷するかどうかの指定（画像補正）、印刷に必要な用紙枚数の表示（用紙枚数）等がある。これら各項目は、カーソルキー２００１を用いて選択、或いは指定される。２００２はモードキーで、このキーを押下する毎に、印刷の種類（インデックス印刷、全コマ印刷、１コマ印刷等）を切り替えることができ、これに応じてＬＥＤ２００３の対応するＬＥＤが点灯される。２００４はメンテナンスキーで、プリントヘッドのクリーニング等、プリンタのメンテナンスを行わせるためのキーである。２００５は印刷開始キーで、印刷の開始を指示する時、或いはメンテナンスの設定を確立する際に押下される。２００６は印刷中止キーで、印刷を中止させる時や、メンテナンスの中止を指示する際に押下される。
【００１７】
次に図３を参照して、本実施の形態に係るＰＤプリンタ装置１０００の制御に係る主要部の構成を説明する。尚、この図３において、前述の図面と共通する部分は同じ記号を付与して、それらの説明を省略する。
【００１８】
図３において、３０００は制御部（制御基板）を示している。３００１はＡＳＩＣ（専用カスタムＬＳＩ）を示し、その構成は図４のブロック図を参照して詳しく後述する。３００２はＤＳＰ（デジタル信号処理プロセッサ）で、内部にＣＰＵを有し、後述する各種制御処理及び、輝度信号（ＲＧＢ）から濃度信号（ＣＭＹＫ）への変換、スケーリング、ガンマ変換、誤差拡散等の画像処理等を担当している。３００３はメモリで、ＤＳＰ３００２のＣＰＵの制御プログラムを記憶するプログラムメモリ３００３ａ、及び実行時のプログラムを記憶するＲＡＭエリア、連続印刷用の登録リストを記憶するワークメモリ、画像データなどを記憶するワークメモリとして機能するメモリエリアを有している。３００４はプリンタエンジンで、ここでは、複数色のカラーインクを用いてカラー画像を印刷するインクジェットプリンタのプリンタエンジンが搭載されている。３００５はデジタルカメラ３０１２を接続するためのポートとしてのＵＳＢバスコネクタである。３００６はビューワ１０１１を接続するためのコネクタである。３００８はＵＳＢバスハブ（ＵＳＢ  ＨＵＢ）で、このＰＤプリンタ装置１０００がＰＣ３０１０からの画像データに基づいて印刷を行う際には、ＰＣ３０１０からのデータをそのままスルーし、ＵＳＢバス３０２１を介してプリンタエンジン３００４に出力する。これにより、接続されているＰＣ３０１０は、プリンタエンジン３００４と直接、データや信号のやり取りを行って印刷を実行することができる（一般的なＰＣプリンタとして機能する）。３００９は電源コネクタで、電源３００７により、商用ＡＣから変換された直流電圧を入力している。ＰＣ３０１０は一般的なパーソナルコンピュータ、３０１１は前述したメモリカード（ＰＣカード）、３０１２はデジタルカメラである。
【００１９】
尚、この制御部３０００とプリンタエンジン３００４との間の信号のやり取りは、前述したＵＳＢバス３０２１又はＩＥＥＥ１２８４バス３０２２を介して行われる。
【００２０】
図４は、ＡＳＩＣ３００１の構成を示すブロック図で、この図４においても、前述の図面と共通する部分は同じ記号を付与して、それらの説明を省略する。
【００２１】
４００１はＰＣカードインターフェース部で、装着されたＰＣカード３０１１に記憶されている画像データを読み取ったり、或いはＰＣカード３０１１へのデータの書き込み等を行う。４００２はＩＥＥＥ１２８４インターフェース部で、プリンタエンジン３００４との間のデータのやり取りを行う。このＩＥＥＥ１２８４インターフェース部４００２は、デジタルカメラ３０１２或いはＰＣカード３０１１に記憶されている画像データを印刷する場合に使用されるバスである。４００３はＵＳＢインターフェース部で、ＰＣ３０１０との間でのデータのやり取りを行う。４００４はＵＳＢホストインターフェース部で、デジタルカメラ３０１２との間でのデータのやり取りを行う。４００５は操作パネル・インターフェース部で、操作パネル１０１０からの各種操作信号を入力したり、表示部１００６への表示データの出力などを行う。４００６はビューワ・インターフェース部で、ビューワ１０１１への画像データの表示を制御している。４００７は各種スイッチやＬＥＤ４００９等との間のインターフェースを制御するインターフェース部である。４００８はＣＰＵインターフェース部で、ＤＳＰ３００２との間でのデータのやり取りの制御を行っている。４０１０はこれら各部を接続する内部バス（ＡＳＩＣバス）である。
【００２２】
以上の構成に基づく動作概要を以下に説明する。
【００２３】
（実施形態１）
上記、構成において請求項１、及び２に関し、印字開始前に登録されている全画像を表示し、登録画像を確認する場合の実施形態を説明する。
【００２４】
操作パネル１０１０上のモードキー２００２によって指定コマモードに移行し、ＰＣカード３０１１に記憶されている画像をビューワ１０１１に表示する。指定コマモードで画像表示に印刷開始キーが押下されることによって、表示中の画像が選択される。この操作を繰り返すことにより、ＰＣカード３０１１に記憶されている画像を複数選択することが可能となる。選択された画像は、記録装置内の作業用メモリ内の連続印刷画像リストに登録される。
【００２５】
次に、指定コマモードでＰＣカード３０１１に記憶されている画像を複数選択した後に、モードキーによって全コマ印字モードに移行し印刷開始キーを押下することで選択された複数の画像を連続印字可能となる。
【００２６】
上記のように複数の画像を選択した後の本発明に関する連続印刷の動作を図５のフローチャートを用いて説明する。
【００２７】
全コマモードにおいて印刷キーが選択されたら、作業用メモリ内の連続印刷画像リストからビューワに表示する画像を選択し（Ｓ５０１）、ビューワ上にあらかじめ設定されている一定時間画像を表示する（Ｓ５０２）。表示時間は、ユーザが設定可能であってもよい。ビューワに画像を表示中に印刷中止キー２００６が押下されたら（Ｓ５０３）、現在表示中の画像を連続印刷画像リストから削除する（Ｓ５０４）。ビューワ上に一定時間画像を表示中に印刷キャンセルキーが押下されなければ、連続印刷画像リストから削除されることはない。一定時間経過後、他に連続印刷画像リストに登録されている画像で表示していない画像があるかどうか判断して（Ｓ５０５）、他に未表示画像があれば他の画像を選択し（Ｓ５０６）、再び一定時間ビューワ上に表示する（Ｓ５０２）。このようなシーケンスを繰り返し、連続印刷画像リストのすべての登録画像を表示し終わったら（Ｓ５０５）、ＤＳＰ３００２で、各種制御処理及び、輝度信号（ＲＧＢ）から濃度信号（ＣＭＹＫ）への変換、スケーリング、ガンマ変換、誤差拡散等の画像処理等を行い、連続印刷画像リストに従って印刷データを作成する（Ｓ５０７）。作成された印刷データは、１２８４Ｉ／Ｆ（４００２）を介してプリンタエンジン部３００４に転送され、順次印刷が実行される（Ｓ５０８）。連続印刷画像リストのすべての画像を印刷し終わったら一連の操作を終了する。
【００２８】
（実施形態２）
上記、構成において請求項１、及び２に関し、各画像の印字開始前にこれから印刷する登録されている画像を表示し、登録画像を確認する場合の実施形態を説明する。
【００２９】
複数の画像を登録する手順は、実施形態１と同じであり省略する。
【００３０】
以下に、連続印刷開始後の本発明による記録装置の動作を図６のフローチャートを用いて説明する。
【００３１】
全コマモードにおいて印刷キーが選択されたら、作業用メモリ内の連続印刷画像リストからビューワに表示する画像を選択し（Ｓ６０１）、ビューワ上にあらかじめ設定されている一定時間画像を表示する（Ｓ６０２）。表示時間は、ユーザが設定可能であってもよい。
【００３２】
ビューワに画像を表示中に印刷中止キー２００６が押下されたら（Ｓ６０３）、現在表示中の画像を連続印刷画像リストから削除し（Ｓ５０４）、他の連続印刷画像リストの画像を選択し（Ｓ６０５）、ビューワ上に表示する。ビューワ上に一定時間画像を表示中に印刷キャンセルキーが押下されなければ、一定時間経過後、現在表示中の画像をＤＳＰ３００２で、各種制御処理及び、輝度信号（ＲＧＢ）から濃度信号（ＣＭＹＫ）への変換、スケーリング、ガンマ変換、誤差拡散等の画像処理等を行い、印刷データを作成する（Ｓ６０６）。
【００３３】
印刷データ作成後、連続印刷画像リストから削除し（Ｓ６０７）、作成された印刷データは、１２８４Ｉ／Ｆ（４００２）を介してプリンタエンジン部３００４に転送され、印刷が実行される（Ｓ６０８）。印刷実行後は、印刷動作終了待ちを行い（Ｓ６０９）、印刷が終了したら、他に連続印刷画像リストに登録されている画像があるか確認し（Ｓ６１０）、登録されている画像があれば、ビューワの表示画像を選択し（Ｓ６１１）、Ｓ６０２〜Ｓ６０９の処理を連続印刷画像リストがなくなる繰り返し実行する。
【００３４】
上記、実施形態１、２においては、印刷キャンセルキーによって表示中の画像を選択したが、プリンタ自体の印刷キャンセルキーを含むその他のキーを割り当ててもよい。
【００３５】
また、画像を表示するビューワがタッチパネル機能を有し、ビューワに触れることで画像を選択する方法もある。
【００３６】
以上説明したように、複数の画像を選択し一括して印刷を行う連続印刷において、印字開始後に、一連の処理を中断することなく、選択画像の印刷キャンセルが可能となる。
【００３７】
【発明の効果】
以上説明したように、本発明により、画像データを記憶しているメモリカードから直接画像ファイルを読み込み、記録材に記録することが可能な記録装置において、メモリカード上の複数の画像を選択し、連続して印刷を行う場合に、印字前に画像表示装置に選択された画像を表示し、表示中の画像を連続印刷のリストから削除することで、ユーザの誤操作による印刷不要な画像のみの印刷を中止することが可能となり、インクや用紙の無駄を無くすことができる。
【００３８】
さらに、印刷不要画像のみを連続印刷のリストから削除するため一連の連続印字処理をいったん中断して選択しなおすことがないため、ユーザの操作性が向上する。
【図面の簡単な説明】
【図１】本発明の実施の形態に係るＰＤプリンタ装置装置の概観斜視図である。
【図２】本実施の形態に係るＰＤプリンタ装置装置の操作パネルの概観図である。
【図３】本実施の形態に係るＰＤプリンタ装置装置の制御に係る主要部の構成を示すブロック図である。
【図４】本実施の形態に係るＰＤプリンタ装置装置のＡＳＩＣの構成を示すブロック図である。
【図５】本発明における実施形態１の動作を示すフローチャートである。
【図６】
本発明における実施形態２の動作を示すフローチャートである。
【図１】
2004193869.tif 000003
【図２】
2004193869.tif 000004
【図３】
2004193869.tif 000005
【図４】
2004193869.tif 000006
【図５】
2004193869.tif 000007
【図６】
2004193869.tif 000008